(57)【要約】【課題】ＨＳ−ＰＤＳＣＨデータとＤＰＣＨデータが同一の周波数キャリアで送信される場合であっても、マルチパスに起因した直交性の崩れによるＢＥＲの劣化を低減可能な通信方法を得ること。【解決手段】本発明の通信方法は、基地局１がＨＳ−ＰＤＳＣＨデータとＤＰＣＨデータとを同一の周波数キャリアで送信する場合の通信方法であって、無線ネットワーク制御装置２が、前記ＨＳ−ＰＤＳＣＨデータと前記ＤＰＣＨデータが多重化されないように、前記基地局１から送られてくるＨＳ−ＰＤＳＣＨデータの送信タイミングに基づいて、ＤＰＣＨデータの送信タイミングを決定し、さらに、前記基地局１が、前記無線ネットワーク制御装置２から送られてくる前記ＤＰＣＨデータを、同時に送られてくる前記ＤＰＣＨデータの送信タイミングで送信する。【選択図】        図１
2005051712.tif 000002
【特許請求の範囲】
【請求項１】
基地局が、各移動機共通の共通チャネルを用いて送信する共通データと、各移動機固有の個別チャネルを用いて送信する個別データと、を同一の周波数キャリアで送信する場合の通信方法において、
無線ネットワーク制御装置が、前記共通データと前記個別データが多重化されないように、前記基地局から送られてくる共通データの送信タイミングに基づいて、個別データの送信タイミングを決定する送信タイミング決定ステップと、
前記基地局が、前記無線ネットワーク制御装置から送られてくる前記個別データを、前記個別データの送信タイミングで送信する送信ステップと、
を含むことを特徴とする通信方法。
【請求項２】
基地局が、各移動機共通の共通チャネルを用いて送信する共通データと、各移動機固有の個別チャネルを用いて送信するＮ（自然数）チャネル分の個別データと、を同一の周波数キャリアで送信する場合の通信方法において、
無線ネットワーク制御装置が、前記共通データと前記Ｎチャネル分の個別データとが多重化されないように、前記基地局から送られてくる共通データの送信タイミングに基づいて、個別データの送信タイミングを決定する送信タイミング決定ステップと、
前記基地局が、前記無線ネットワーク制御装置から送られてくる前記Ｎチャネル分の個別データを、前記個別データの送信タイミングで送信する送信ステップと、
を含むことを特徴とする通信方法。
【請求項３】
基地局が、各移動機共通の共通チャネルを用いて送信する共通データと、各移動機固有の個別チャネルを用いて送信するＮ（自然数）チャネル分の個別データと、を同一の周波数キャリアで送信する場合の通信方法において、
無線ネットワーク制御装置が、前記Ｎチャネル分の個別データに所定の優先順位をつけ、前記共通データと優先順位の最も高い個別データとが多重化されないように、前記基地局から送られてくる共通データの送信タイミングに基づいて、前記優先順位の最も高い個別データの送信タイミングを決定する送信タイミング決定ステップと、
前記基地局が、前記無線ネットワーク制御装置から送られてくる前記優先順位の最も高い個別データを、前記決定した送信タイミングで送信する送信ステップと、
を含むことを特徴とする通信方法。
【請求項４】
前記基地局は、前記無線ネットワーク制御装置から送られてくる優先順位の最も高い個別データ以外の個別データを、タイミング調整を行わずに直ちに送信することを特徴とする請求項３に記載の通信方法。
【請求項５】
前記優先順位を、前記Ｎチャネル分の個別データのシンボルレートに基づいて決定することを特徴とする請求項３または４に記載の通信方法。
【請求項６】
前記基地局は、前記共通チャネルを用いたデータ送信が行われていない場合、前記無線ネットワーク制御装置から送られてくる個別データを、タイミング調整を行わずに直ちに送信することを特徴とする請求項１〜５のいずれか１つに記載の通信方法。
【請求項７】
各移動機共通の共通チャネルを用いて送信する共通データと、各移動機固有の個別チャネルを用いて送信する個別データと、を同一の周波数キャリアで送信する基地局と通信を行う無線ネットワーク制御装置において、
前記共通データと前記個別データが多重化されないように、前記基地局から送られてくる共通データの送信タイミングに基づいて、個別データの送信タイミングを決定し、当該送信タイミング情報を前記個別データとともに前記基地局に対して送信する送信タイミング制御手段、
を備えることを特徴とする無線ネットワーク制御装置。
【請求項８】
各移動機共通の共通チャネルを用いて送信する共通データと、各移動機固有の個別チャネルを用いて送信するＮ（自然数）チャネル分の個別データと、を同一の周波数キャリアで送信する基地局と通信を行う無線ネットワーク制御装置において、
前記共通データと前記Ｎチャネル分の個別データとが多重化されないように、前記基地局から送られてくる共通データの送信タイミングに基づいて、個別データの送信タイミングを決定し、当該送信タイミング情報を前記Ｎチャネル分の個別データとともに前記基地局に対して送信する送信タイミング制御手段、
を備えることを特徴とする無線ネットワーク制御装置。
【請求項９】
各移動機共通の共通チャネルを用いて送信する共通データと、各移動機固有の個別チャネルを用いて送信するＮ（自然数）チャネル分の個別データと、を同一の周波数キャリアで送信する基地局と通信を行う無線ネットワーク制御装置において、
前記Ｎチャネル分の個別データに所定の優先順位をつけ、前記共通データと優先順位の最も高い個別データとが多重化されないように、前記基地局から送られてくる共通データの送信タイミングに基づいて、前記優先順位の最も高い個別データの送信タイミングを決定し、当該送信タイミング情報を前記優先順位の最も高い個別データとともに前記基地局に対して送信する送信タイミング制御手段、
を備えることを特徴とする無線ネットワーク制御装置。
【請求項１０】
前記優先順位を、前記Ｎチャネル分の個別データのシンボルレートに基づいて決定することを特徴とする請求項９に記載の無線ネットワーク制御装置。
【請求項１１】
各移動機共通の共通チャネルを用いて送信する共通データと、各移動機固有の個別チャネルを用いて送信する個別データと、を同一の周波数キャリアで送信する基地局において、
無線ネットワーク制御装置から送られてくる前記個別データを、同時に送られてくる個別データの送信タイミングで送信し、一方で、前記共通チャネルを用いたデータ送信が行われていない場合には、前記無線ネットワーク制御装置から送られてくる個別データを、タイミング調整を行わずに直ちに送信する送信制御手段、
を備え、
前記共通データと前記個別データが多重化されないように、前記個別データの送信タイミングを調整することを特徴とする基地局。
【請求項１２】
各移動機共通の共通チャネルを用いて送信する共通データと、各移動機固有の個別チャネルを用いて送信するＮ（自然数）チャネル分の個別データと、を同一の周波数キャリアで送信する基地局において、
無線ネットワーク制御装置から送られてくる前記Ｎチャネル分の個別データを、同時に送られてくる個別データの送信タイミングで送信し、一方で、前記共通チャネルを用いたデータ送信が行われていない場合には、前記無線ネットワーク制御装置から送られてくる個別データを、タイミング調整を行わずに直ちに送信する送信制御手段、
を備え、
前記共通データと前記Ｎチャネル分の個別データが多重化されないように、前記Ｎチャネル分の個別データの送信タイミングを調整することを特徴とする基地局。
【請求項１３】
各移動機共通の共通チャネルを用いて送信する共通データと、各移動機固有の個別チャネルを用いて送信するＮ（自然数）チャネル分の個別データと、を同一の周波数キャリアで送信する基地局において、
前記無線ネットワーク制御装置から送られてくるＮチャネル分の個別データの中で、シンボルレートの最も高い個別データを、同時に送られてくる個別データの送信タイミングで送信し、一方で、前記無線ネットワーク制御装置から送られてくるシンボルレートの最も高い個別データ以外の個別データを、さらに前記共通チャネルを用いたデータ送信が行われていない場合には前記無線ネットワーク制御装置から送られてくるすべての個別データを、タイミング調整を行わずに直ちに送信する送信制御手段、
を備え、
前記共通データと前記シンボルレートの最も高い個別データが多重化されないように、前記シンボルレートの最も高い個別データの送信タイミングを調整することを特徴とする基地局。
【発明の詳細な説明】
【技術分野】
【０００１】
本発明は、ＨＳ−ＰＤＳＣＨ（High Speed Physical Downlink Shared CHannel）と呼ばれるチャネルを用いて送信されるデータとＤＰＣＨ（Dedicated Physical CHannel）と呼ばれるチャネルを用いて送信されるデータが、同一の周波数キャリアで送信される場合の通信方法に関するものである。
【背景技術】
【０００２】
以下、従来の通信方法について説明する。デジタル無線通信の多元接続方式のひとつにＣＤＭＡ（Code Division Multiple Access）方式があり、３ＧＰＰ（3rd Generation Partnership Project）において、このＣＤＭＡ方式が採用されている。
【０００３】
また、上記３ＧＰＰでは、下り高速無線通信の規格としてＨＳＤＰＡ（High Speed Downlink Packet Access）が定められており、下り高速データ通信に用いられるチャネルとしてＨＳ−ＰＤＳＣＨが規定されている（下記非特許文献１参照）。また、３ＧＰＰにおいては、下り音声や低速パケットなどの伝送の規格としてＤＣＨ（Dedicated CHannel）が定められており、ＤＣＨの通信に用いられるチャネルとしてＤＰＣＨが規定されている（下記非特許文献２参照）。
【０００４】
ここで、従来の通信方法における各装置間の処理について説明する。たとえば、端末（ＵＥ：User Equipment）から送信されたＨＳ−ＤＰＣＣＨ（High Speed Dedicated Physical Control Channel）上の信号が基地局（ＢＴＳ：Base Transceiver）で復調され、その復調結果が、たとえば、ＡＣＫの場合、次データは、ＨＳ−ＤＰＣＣＨ信号の受信タイミングｔ１に基づく所定の送信タイミングｔ２で、ＵＥへ送信される。送信タイミングｔ２は、たとえば、上記ＡＣＫの受信タイミングｔ１からΔｔ１秒後に設定される。このとき、ＨＳ−ＰＤＳＣＨ上に送信される次データは、無線ネットワーク制御装置（ＲＮＣ：Radio Network controller）からＢＴＳに送られ、ＢＴＳにて符号化／変調後、送信タイミングｔ２でＵＥに送信される。なお、ＲＮＣからＢＴＳへ送られたＤＰＣＨ上の送信データについては、符号化／変調後、ＨＳ−ＰＤＳＣＨ上のデータと多重され、ＵＥへ送信される。
【０００５】
【非特許文献１】3GPP規格  TR25.858 v5.0.0(2002-3)
【非特許文献２】3GPP規格  TS25.211 v5.1.0(2002-6) 5.3 Downlink physical channels
【発明の開示】
【発明が解決しようとする課題】
【０００６】
しかしながら、上記従来の通信方法においては、たとえば、ＨＳ−ＰＤＳＣＨ上にデータを送信する場合に、当該データが送信される周波数キャリアと同一の周波数キャリアで、ＤＰＣＨデータが送信されることがある。通常、ＨＳ−ＰＤＳＣＨやＤＰＣＨを用いてデータが送信される場合は、「Inner Loop」による送信電力制御が行われているだけである。そのため、図９のように、バースト的にＨＳ−ＰＤＳＣＨが送信されると、ＤＰＣＨに対してＨＳ−ＰＤＳＣＨの電力が大きくなり、マルチパスに起因した直交性の崩れによってＢＥＲの劣化が起きる、という問題点があった。
【０００７】
本発明は、上記に鑑みてなされたものであって、ＨＳ−ＰＤＳＣＨデータとＤＰＣＨデータが同一の周波数キャリアで送信される場合であっても、マルチパスに起因した直交性の崩れによるＢＥＲの劣化を低減可能な通信方法、および当該通信方法を実現するための基地局および無線ネットワーク制御装置を得ることを目的とする。
【課題を解決するための手段】
【０００８】
上述した課題を解決し、目的を達成するために、本発明にかかる通信方法にあっては、基地局が、各移動機共通の共通チャネルを用いて送信する共通データと、各移動機固有の個別チャネルを用いて送信する個別データと、を同一の周波数キャリアで送信する場合の通信方法であって、無線ネットワーク制御装置が、前記共通データと前記個別データが多重化されないように、前記基地局から送られてくる共通データの送信タイミングに基づいて、個別データの送信タイミングを決定する送信タイミング決定ステップと、前記基地局が、前記無線ネットワーク制御装置から送られてくる前記個別データを、前記個別データの送信タイミングで送信する送信ステップと、を含むことを特徴とする。
【０００９】
この発明によれば、共通データの送信タイミングに基づいて個別データの送信タイミングを設定することにより、たとえば、個別データを、共通データの送信タイミングとずらして送信する。
【発明の効果】
【００１０】
この発明によれば、共通データと個別データの同時送信を回避できるので、マルチパスによる直交性崩れを起因とするＢＥＲの劣化を低減できる、という効果を奏する。
【発明を実施するための最良の形態】
【００１１】
以下に、本発明にかかる通信方法、基地局および無線ネットワーク制御装置の実施の形態を図面に基づいて詳細に説明する。なお、この実施の形態によりこの発明が限定されるものではない。
【００１２】
実施の形態１．
図１は、本発明にかかる通信方法を実現するための実施の形態１の基地局および無線ネットワーク制御装置の構成を示す図である。図１において、基地局（ＢＴＳ）１は、端末（ＵＥ）からのＨＳ−ＤＰＣＣＨ上の信号を復号するＨＳ−ＤＰＣＣＨ受信部１１と、ＨＳ−ＤＰＣＣＨのＡＣＫ／ＮＡＣＫを判定するＡＣＫ／ＮＡＣＫ判定部１２と、ＨＳ−ＰＤＳＣＨを用いて送信するデータ（ＨＳ−ＰＤＳＣＨデータ）の送信タイミングを算出する送信タイミング判定部１３と、ＨＳ−ＰＤＳＣＨデータの符号化／変調を行うＨＳ−ＰＤＳＣＨ送信制御部１４と、ＤＰＣＨを用いて送信するデータ（ＤＰＣＨデータ）の符号化／変調を行うＤＰＣＨ送信制御部１５と、変調後のＨＳ−ＰＤＳＣＨデータをＵＥ宛てに送信するＨＳ−ＰＤＳＣＨ送信部１６と、変調後のＤＰＣＨデータをＵＥ宛てに送信するＤＰＣＨ送信部１７と、ＨＳ−ＰＤＳＣＨデータとＤＰＣＨデータを多重する多重部１８と、を備える。
【００１３】
また、図１において、無線ネットワーク制御装置（ＲＮＣ）２は、ＢＴＳ１から送られてくるＨＳ−ＰＤＳＣＨデータの送信タイミングからＤＰＣＨデータの送信タイミングを算出するＤＰＣＨ送信タイミング制御部２１と、ＨＳ−ＰＤＳＣＨデータをＢＴＳ１へ送信するＨＳ−ＰＤＳＣＨデータ生成部２２と、ＤＰＣＨデータをＢＴＳ１へ送信するＤＰＣＨデータ生成部２３と、を備える。
【００１４】
ここで、上記ＢＴＳ１およびＲＮＣ２の動作について説明する。ＢＴＳ１のＨＳ−ＤＰＣＣＨ受信部１１では、ＵＥから送られてくるＨＳ−ＤＰＣＣＨ信号を受信し、復調する。ＡＣＫ／ＮＡＣＫ判定部１２では、復調後のＨＳ−ＤＰＣＣＨ信号のＡＣＫ／ＮＡＣＫを判定する。たとえば、ＡＣＫ／ＮＡＣＫ判定部１２による判定結果がＡＣＫであった場合は、次のＨＳ−ＰＤＳＣＨデータが送信されることとなるので、その送信タイミングを決定するために、ＨＳ−ＤＰＣＣＨ信号の受信タイミングｔ１を送信タイミング判定部１３へ通知する。送信タイミング判定部１３では、受け取ったＨＳ−ＤＰＣＣＨ信号の受信タイミングｔ１に基づいてＨＳ−ＰＤＳＣＨデータの送信タイミングｔ２を算出し、その結果をＲＮＣ２のＤＰＣＨ送信タイミング制御部２１およびＨＳ−ＰＤＳＣＨ送信制御部１４へ送信する。なお、ＨＳ−ＰＤＳＣＨデータの送信タイミングｔ２は、ＨＳ−ＤＰＣＣＨ信号の受信タイミングｔ１に、たとえば、Δｔ１（＝２ｍｓ）を加算することにより求められる。
【００１５】
また、ＨＳ−ＰＤＳＣＨデータの送信タイミングｔ２を受信したＲＮＣ２のＤＰＣＨ送信タイミング制御部２１では、ＤＰＣＨデータの送信タイミングｔ３（＝ｔ２＋Δｔ２（Δｔ２＞１０ｍｓ））を算出し、その結果をＤＰＣＨデータ生成部２３に通知する。ＤＰＣＨデータ生成部２３では、ＤＰＣＨデータとその送信タイミングに関する制御情報とをＢＴＳ１に対して送信する。ＢＴＳ１のＤＰＣＨ送信制御部１５では、ＲＮＣ２から送られてくるＤＰＣＨデータの符号化／変調を行い、その結果を上記ＤＰＣＨデータの送信タイミングでＤＰＣＨ送信部１７に対して出力する。ＤＰＣＨ送信部１７では、ＵＥ宛てに変調後のＤＰＣＨデータを送信する。
【００１６】
一方で、ＲＮＣ２のＨＳ−ＰＤＳＣＨデータ生成部２２では、ＨＳ−ＰＤＳＣＨデータをＢＴＳ１のＨＳ−ＰＤＳＣＨ送信制御部１４に対して送信する。そして、ＢＴＳ１のＨＳ−ＰＤＳＣＨ送信制御部１４では、受信したＨＳ−ＰＤＳＣＨデータの符号化／変調を行い、その結果を、上記送信タイミング判定部１３で算出された送信タイミングでＨＳ−ＰＤＳＣＨ送信部１６に対して出力する。ＨＳ−ＰＤＳＣＨ送信部１６では、ＵＥ宛てに変調後のＨＳ−ＰＤＳＣＨデータを送信する。
【００１７】
そして、多重部１８では、ＨＳ−ＰＤＳＣＨ送信部１６およびＤＰＣＨ送信部１７から送信されたデータを多重化し、多重化後の信号をＵＥに対して送信する。
【００１８】
つづいて、上記ＢＴＳ１およびＲＮＣ２の処理を時系列的に説明する。図２は、上記ＢＴＳ１およびＲＮＣ２の処理を示すフローチャートである。まず、ＢＴＳ１では、ＨＳ−ＤＰＣＣＨ信号のＡＣＫ／ＮＡＣＫを判定し（ステップＳ１）、その判定結果がＡＣＫであれば（ステップＳ１，Ｙｅｓ）、上記のようにＨＳ−ＰＤＳＣＨデータの送信タイミングを算出する（ステップＳ２）。そして、ＢＴＳ１では、ＲＮＣ２から送られてくるＨＳ−ＰＤＳＣＨデータを上記ＨＳ−ＰＤＳＣＨデータの送信タイミングで送信する（ステップＳ３）。つぎに、ＲＮＣ２では、ＤＰＣＨデータの送信タイミングを上記ＨＳ−ＰＤＳＣＨの送信タイミングに基づいて算出する（ステップＳ４）。そして、ＢＴＳ１では、ＲＮＣ２から送られてくるＤＰＣＨデータを、同時に送られてくるＤＰＣＨデータの送信タイミングで送信する（ステップＳ５）。なお、上記ステップＳ１においてＨＳ−ＰＤＳＣＨデータが送信されていない場合は（ステップＳ１，Ｎｏ）、ＤＰＣＨデータの送信タイミングを算出することなくＤＰＣＨデータを送信する（ステップＳ５）。
【００１９】
このように、本実施の形態においては、ＨＳ−ＰＤＳＣＨデータの送信タイミングに基づいてＤＰＣＨデータの送信タイミングを設定することにより、たとえば、図３のように、ＤＰＣＨデータを、ＨＳ−ＰＤＳＣＨデータの送信タイミングとずらして送信することとした。なお、図３の上段は、ＤＰＣＨデータの送信タイミングを変更しなかった場合の送信電力を表しており、図３の下段は、ＤＰＣＨデータの送信タイミングを変更した場合の送信電力を表している。これにより、ＨＳ−ＰＤＳＣＨデータとＤＰＣＨデータの同時送信を回避できるので、マルチパスによる直交性崩れを起因とするＢＥＲの劣化を低減できる。
【００２０】
実施の形態２．
前述の実施の形態１では、ＤＰＣＨが１チャンネルの場合を想定していたが、実施の形態２では、ＤＰＣＨが多重（Ｎ多重）された場合について説明する。
【００２１】
図４は、本発明にかかる通信方法を実現するための実施の形態２の基地局および無線ネットワーク制御装置の構成を示す図である。図４において、基地局（ＢＴＳ）１ａは、ＤＰＣＨデータの符号化／変調を行うＤＰＣＨ送信制御部１５ａ−１〜１５ａ−Ｎ（自然数）で構成されたＤＰＣＨ送信制御部群１５ａと、変調後のＤＰＣＨデータをＵＥへ送信するＤＰＣＨ送信部１７ａ−１〜１７ａ−Ｎで構成されたＤＰＣＨ送信部群１７ａと、ＨＳ−ＰＤＳＣＨデータとＮチャンネル分のＤＰＣＨデータとを多重する多重部１８ａと、を備える。また、図４において、ＲＮＣ２ａは、ＤＰＣＨデータをＢＴＳ１ａへ送信するＤＰＣＨデータ生成部２３ａ−１〜２３ａ−Ｎで構成されたＤＰＣＨデータ生成部群２３ａと、を備える。なお、先に説明した実施の形態１と同様の構成については同一の符号を付してその説明を省略する。
【００２２】
つづいて、上記ＢＴＳ１ａおよびＲＮＣ２ａの動作について説明する。本実施の形態では、まず、ＲＮＣ２ａのＤＰＣＨ送信タイミング制御部２１にて生成されたＤＰＣＨデータの送信タイミングｔ３を、ＤＰＣＨ送信データ生成部群２３ａのすべてのチャネル（２３ａ−１〜２３ａ−Ｎ）に設定する。そして、各ＤＰＣＨ送信データ生成部２３ａ−１〜２３ａ−Ｎでは、ＤＰＣＨデータの送信タイミングｔ３と対応するＤＰＣＨデータとを、ＢＴＳ１ａに対して送信する。
【００２３】
ＢＴＳ１ａのＤＰＣＨ送信制御部１５ａ−１〜１５ａ−Ｎでは、ＲＮＣ２ａから送られてくる各ＤＰＣＨデータの符号化／変調を個別に行い、それらの結果を上記ＤＰＣＨデータの送信タイミングでＤＰＣＨ送信部群１７ａに対して出力する。そして、ＤＰＣＨ送信部１７ａ−１〜１７ａ−Ｎでは、ＵＥ宛てに変調後のＤＰＣＨデータを送信する。
【００２４】
そして、多重部１８ａでは、ＨＳ−ＰＤＳＣＨ送信部１６から送信されるデータおよびＤＰＣＨ送信部群１７ａから送信されるＮチャネル分のデータを多重化し、多重化後の信号をＵＥに対して送信する。
【００２５】
このように、本実施の形態においては、ＨＳ−ＰＤＳＣＨデータの送信タイミングに基づいてＮチャネル分のＤＰＣＨデータの送信タイミングを設定することにより、たとえば、図５のように、Ｎチャネル分のＤＰＣＨデータを、ＨＳ−ＰＤＳＣＨデータの送信タイミングとずらして送信することとした。なお、図５の上段は、ＤＰＣＨデータの送信タイミングを変更しなかった場合の送信電力を表しており、図５の下段は、ＤＰＣＨデータの送信タイミングを変更した場合の送信電力を表している。これにより、ＨＳ−ＰＤＳＣＨデータとＮチャネル分のＤＰＣＨデータの同時送信を回避できるので、マルチパスによる直交性崩れを起因とするＢＥＲの劣化を低減できる。
【００２６】
実施の形態３．
前述の実施の形態１，２では、スケジューリングによりＨＳ−ＰＤＳＣＨデータとＤＰＣＨデータを同時に送信しないこととしたが、実施の形態３では、ＤＰＣＨに優先度をつけ、優先度の高いＤＰＣＨデータに対しては送信タイミングを調整し、優先度の低いＤＰＣＨデータについては、送信タイミングを調整せず直ちに（最も速いタイミング）で送信する。なお、基地局および無線ネットワーク制御装置の構成については、前述した実施の形態２の図４と同一である。
【００２７】
ここで、本実施の形態のＢＴＳ１ａおよびＲＮＣ２ａの動作について説明する。なお、ここでは、先に説明した実施の形態１および２と異なる動作についてのみ説明する。
【００２８】
本実施の形態においては、前述同様、ＨＳ−ＰＤＳＣＨデータの送信タイミングをｔ２とした場合、ＤＰＣＨ送信タイミング制御部２１が、優先度が最も高いＤＰＣＨデータの送信タイミングｔ３（前述同様）を算出する。そして、その算出結果を、対応するＤＰＣＨ送信データ生成部に対して設定し、それ以外のＤＰＣＨデータについては、送信タイミングを設定しない。その後、優先度が最も高いＤＰＣＨデータに対応するＤＰＣＨデータ生成部では、ＤＰＣＨデータと送信タイミングｔ３に関する制御情報とをＢＴＳ１ａに対して送信し、それ以外のＤＰＣＨデータ生成部では、対応するＤＰＣＨデータだけをＢＴＳ１ａに対して送信する。
【００２９】
なお、上記ＤＰＣＨの優先度はシンボルレートで決定する。図６は、ＤＰＣＨデータのシンボルレートと優先度の対応を示す図である。ここでは、シンボルレートが１５ｋｓｐｓ〜９６０ｋｓｐｓまでの７段階で構成され、シンボルレートが高いほど優先度が高いとものとする。また、最も優先度の高いＤＰＣＨデータが複数存在する場合には、同レートの全てのＤＰＣＨデータを送信タイミングｔ３で送信する。
【００３０】
図７は、本実施の形態の送信タイミングの調整方法の具体例を示す図である。送信タイミングを調整する前は（図７の上段）、時刻ｔ２で、ＨＳ−ＰＤＳＣＨ１０１，ＤＰＣＨ（６０ｋｓｐｓ）１０２，ＤＰＣＨ（１２０ｋｓｐｓ）１０３，ＤＰＣＨ（２４０ｋｓｐｓ）１０４が同時に送信されている。しかしながら、本実施の形態においては、図７の下段のように、優先度が最も高いＤＰＣＨデータ以外に対応する各ＤＰＣＨ送信制御部が、ＤＰＣＨ１０２，ＤＰＣＨ１０３を、ＨＳ−ＰＤＳＣＨデータの送信タイミングｔ２（最も早いタイミング）で送信し、その後、優先度が最も高いＤＰＣＨデータに対応する特定のＤＰＣＨ送信制御部が、ＤＰＣＨ１０４を、ＲＮＣ２ａから通知される送信タイミングｔ３で送信する。
【００３１】
つづいて、上記ＢＴＳ１ａおよびＲＮＣ２ａの処理を時系列的に説明する。図８は、上記ＢＴＳ１ａおよびＲＮＣ２ａの処理を示すフローチャートである。まず、ＢＴＳ１ａでは、ＨＳ−ＤＰＣＣＨにおいてＡＣＫ／ＮＡＣＫを判定し（ステップＳ１）、その判定結果がＡＣＫであれば（ステップＳ１，Ｙｅｓ）、実施の形態１と同様に、ＨＳ−ＰＤＳＣＨデータの送信タイミングｔ２を算出する（ステップＳ２）。つぎに、ＲＮＣ２ａでは、複数のＤＰＣＨデータのシンボルレートを比較し（ステップＳ１１）、優先度が最も高いＤＰＣＨデータの送信タイミングｔ３を、上記ＨＳ−ＰＤＳＣＨの送信タイミングｔ２に基づいて算出する（ステップＳ４）。そして、ＢＴＳ１ａでは、ＲＮＣ２ａから送られてくるＨＳ−ＰＤＳＣＨデータと、優先度が最も高いＤＰＣＨデータ以外のＤＰＣＨデータと、を上記ＨＳ−ＰＤＳＣＨデータの送信タイミングｔ２で送信する（ステップＳ１２，Ｓ１３）。一方、ＢＴＳ１ａでは、ＲＮＣ２ａから送られてくる優先度が最も高いＤＰＣＨデータを、同時に送られてくるＤＰＣＨデータの送信タイミングｔ３で送信する（ステップＳ５）。なお、上記ステップＳ１においてＨＳ−ＰＤＳＣＨデータが送信されていない場合は（ステップＳ１，Ｎｏ）、ＤＰＣＨデータの送信タイミングを算出することなくＤＰＣＨデータを送信する（ステップＳ１２，１３）。
【００３２】
このように、本実施の形態においては、複数のＤＰＣＨの中から最も優先度の高いチャネルの送信タイミングを調整することとした。これにより、全ＤＰＣＨデータを遅延させることなく、マルチパスの影響を受けやすいチャネルの品質劣化を抑えることができる。
【産業上の利用可能性】
【００３３】
以上のように、本発明にかかる通信方法は、３ＧＰＰにおいて採用されたＣＤＭＡ方式を用いて通信を行う通信装置に有用であり、特に、ＨＳ−ＰＤＳＣＨデータとＤＰＣＨデータとを同一の周波数キャリアで送信する基地局および無線ネットワーク制御装置に適している。
【図面の簡単な説明】
【００３４】
【図１】本発明にかかる通信方法を実現するための実施の形態１の基地局および無線ネットワーク制御装置の構成を示す図である。
【図２】実施の形態１の基地局および無線ネットワーク制御装置の処理を示すフローチャートである。
【図３】実施の形態１の送信タイミングの調整方法を示す図である。
【図４】本発明にかかる通信方法を実現するための実施の形態２の基地局および無線ネットワーク制御装置の構成を示す図である。
【図５】実施の形態２の送信タイミングの調整方法を示す図である。
【図６】ＤＰＣＨデータのシンボルレートと優先度の対応を示す図である。
【図７】実施の形態３の送信タイミングの調整方法を示す図である。
【図８】実施の形態３の基地局および無線ネットワーク制御装置の処理を示すフローチャートである。
【図９】従来技術の問題点を示す図である。
【符号の説明】
【００３５】
１  基地局（ＢＴＳ）
２  無線ネットワーク制御装置（ＲＮＣ）
１１  ＨＳ−ＤＰＣＣＨ受信部
１２  ＡＣＫ／ＮＡＣＫ判定部
１３  送信タイミング判定部
１４  ＨＳ−ＰＤＳＣＨ送信制御部
１５，１５ａ−１，１５ａ−２，１５ａ−Ｎ  ＤＰＣＨ送信制御部
１５ａ  ＤＰＣＨ送信制御部群
１６  ＨＳ−ＰＤＳＣＨ送信部
１７，１７ａ−１，１７ａ−２，１７ａ−Ｎ  ＤＰＣＨ送信部
１７ａ  ＤＰＣＨ送信部群
１８，１８ａ  多重部
２１  ＤＰＣＨ送信タイミング制御部
２２  ＨＳ−ＰＤＳＣＨデータ生成部
２３，２３ａ−１，２３ａ−２，２３ａ−Ｎ  ＤＰＣＨデータ生成部
２３ａ  ＤＰＣＨデータ生成部群
【図１】
2005051712.tif 000003
【図２】
2005051712.tif 000004
【図３】
2005051712.tif 000005
【図４】
2005051712.tif 000006
【図５】
2005051712.tif 000007
【図６】
2005051712.tif 000008
【図７】
2005051712.tif 000009
【図８】
2005051712.tif 000010
【図９】
2005051712.tif 000011